(57)【特許請求の範囲】
【請求項１】
遊技盤と、前記遊技盤の盤面に取り外し可能に固定される盤面部材と、前記盤面部材に着脱可能に係止され、機種情報が表示された証紙が表面に貼着される貼着部材と、を備えるパチンコ機であって、
前記貼着部材は、側部に前記盤面部材に着脱可能に係止される係止片を有し、
前記盤面部材は、前記貼着部材の裏面を前記盤面側に向けて前記係止片を着脱可能に係止する係止片支持部を有するとともに、前記係止片支持部からの前記係止片の着脱を規制する着脱規制部材が取り付けられており、
前記着脱規制部材は、前記盤面部材に取り付けられる基端部と、前記係止片を前記係止片支持部へ押圧することで前記係止片の前記係止片支持部からの解放を禁止する押圧部と、前記基端部と前記押圧部とを接続する変形可能な接続部とを有してなり、前記押圧部は、前記盤面部材が前記遊技盤に固定された状態では、前記遊技盤の盤面と前記係止片とにより挟まれる位置にあって、前記遊技盤の盤面から押圧されることで前記係止片を前記係止片支持部へ押圧する大きさを有することにより、
前記盤面部材が前記遊技盤に固定された状態では、前記係止片支持部からの前記係止片の解放が禁止され、前記盤面部材が前記遊技盤から取り外された状態では、前記接続部の変形が可能となって、前記係止片支持部からの前記係止片の解放が可能となることを特徴とするパチンコ機。
【請求項２】
請求項１において、前記パチンコ機には、前記遊技盤を前記パチンコ機の本体に固定及び固定解除する固定手段が設けられ、
前記貼着部材は、前記係止片の一部を回転中心として前記遊技盤の盤面に対し略垂直線回りに回転可能に係止され、前記証紙が貼着される表面が前記遊技盤の盤面に略平行になる状態で、所定の前記固定手段を正面視から被覆する位置に設けられていることを特徴とするパチンコ機。
【発明の詳細な説明】
【技術分野】
【０００１】
本発明は、パチンコ店等の遊技場に設置して使用されるパチンコ機に関する。
【背景技術】
【０００２】
パチンコ機をホールへ設置するに当たっては、事前に、公安委員会の型式検定に適合しておく必要がある。この検定では、申請書類に記載された製造番号と遊技盤に貼り付けられた証紙の製造番号とに差異がないかなどが調べられ、問題がなければパチンコ店への設置許可がなされる。この証紙の貼り付け位置は、遊技盤の盤面の右下に定められており、従来は、盤面の所定位置に直接貼り付けたり、盤面の右側を装飾するレール飾りなどの装飾部材（盤面部材）に証紙台を取り付け、その証紙台の表面に証紙を貼り付けたりしている。
【０００３】
しかし、製造時の作業ミス等で証紙が貼り間違えられたとき、直接遊技盤に貼り付けられた場合には、手直しが大変であり、装飾部材に証紙台を取り付けた場合でも、装飾部材が大型化している現状では、廃棄される部材の容量が増えて無駄が多くなる。
【０００４】
これに対し、証紙交換を容易にするとともに、証紙の貼り間違い等によって生じる廃棄部材の量を抑えるようにした先行技術が提案されている（特許文献１参照）。
例えば、図１２に示すように、遊技盤２０に取り付けられるレール飾り２の右下隅に凹部３を形成し、その凹部３に、証紙５０を貼り付けた証紙台５を配置している。そして、このように証紙台を配置するため、証紙台５の左側面に設けたヒンジ軸６をヒンジ板７の軸受け溝７ａに回動可能に支持させた上で、そのヒンジ板７を、ネジ８により、凹部３に設けたヒンジ板取り付け部３ａに取り付けている。
しかし、この構成では、証紙台５を取り外すには、レール飾り２を遊技盤２０から取り外した上で、更に、レール飾り２の裏面側からネジ８を緩めてヒンジ板７を取り外す作業が必要になり、取り外すのに手間が掛かる。
【先行技術文献】
【特許文献】
【０００５】
【特許文献１】特開２００３−６２３０９号公報
【発明の概要】
【発明が解決しようとする課題】
【０００６】
本発明は、上記した実情に鑑みてなされたものであり、その目的は、遊技盤に設ける証紙の交換作業の容易性を向上させるとともに、証紙を貼着する部材の廃棄による無駄を抑えながら、証紙の不正変更防止を強化し、しかも盤面スペースを有効に使用することができるパチンコ機を提供することを課題とする。
【課題を解決するための手段】
【０００７】
上記目的を達成するため、本発明は、遊技盤と、前記遊技盤の盤面に取り外し可能に固定される盤面部材と、前記盤面部材に着脱可能に係止され、機種情報が表示された証紙が表面に貼着される貼着部材と、を備えるパチンコ機であって、
前記貼着部材は、側部に前記盤面部材に着脱可能に係止される係止片を有し、
前記盤面部材は、前記貼着部材の裏面を前記盤面側に向けて前記係止片を着脱可能に係止する係止片支持部を有するとともに、前記係止片支持部からの前記係止片の着脱を規制する着脱規制部材が取り付けられており、
前記着脱規制部材は、前記盤面部材に取り付けられる基端部と、前記係止片を前記係止片支持部へ押圧することで前記係止片の前記係止片支持部からの解放を禁止する押圧部と、前記基端部と前記押圧部とを接続する変形可能な接続部とを有してなり、前記押圧部は、前記盤面部材が前記遊技盤に固定された状態では、前記遊技盤の盤面と前記係止片とにより挟まれる位置にあって、前記遊技盤の盤面から押圧されることで前記係止片を前記係止片支持部へ押圧する大きさを有することにより、
前記盤面部材が前記遊技盤に固定された状態では、前記係止片支持部からの前記係止片の解放が禁止され、前記盤面部材が前記遊技盤から取り外された状態では、前記接続部の変形が可能となって、前記係止片支持部からの前記係止片の解放が可能となることを特徴としている。
【０００８】
このように構成したことにより、本発明は、装飾部材（盤面部材）が遊技盤上に固定されている通常状態においては、着脱規制部材が装飾部材と遊技盤とに緊密に挟まれて変形することができない状態になっていることから、証紙台（貼着部材）を装飾部材からが取り外すことができない。これに対し、装飾部材を遊技盤から取り外した状態では、着脱規制部材の当接部が係止片支持部に対し自由になり、着脱規制部材が変形可能となることにより、ネジ止めを緩めるなどの特別の作業を必要とすることなく当接部の係止片支持部への密着を解除することができるので、証紙台の係止片を装飾部材の係止片支持部から容易に取り外すことができる。
したがって、装飾部材が遊技盤面上に固定されている通常状態においては証紙台の取り外しを防止することができ、一方、装飾部材のリユース作業のために取り外す場合においは、遊技盤から装飾部材を取り外したままの状態で、装飾部材から証紙台を取り外すことができるので、証紙台の取り外し作業の作業性が向上する。
【０００９】
また本発明は、前記パチンコ機には、前記遊技盤を前記パチンコ機の本体に固定及び固定解除する固定手段が設けられ、
前記貼着部材は、前記係止片の一部を回転中心として前記遊技盤の盤面に対し略垂直線回りに回転可能に係止され、前記証紙が貼着される表面が前記遊技盤の盤面に略平行になる状態で、所定の前記固定手段を正面視から被覆する位置に設けられていることを特徴としている。
【００１０】
このように構成したことにより、本発明は、遊技者から見た美観が向上すると共に、証紙台（貼着部材）の閉塞動作に伴って固定手段の固定状態あるいは固定解除状態を検知する手段を付加することで、遊技盤の交換時やパチンコ機のトラブル等によって遊技盤を機器本体から着脱する際に、遊技店の従業員等が遊技盤を機器本体に未固定のまま誤って組み立ててしまうことを防止することもできる。
【００１１】
このように、本発明によれば、パチンコ機からの証紙台（貼着部材）の取り外しを防止した上で、装飾部材（盤面部材）のリユース作業等においては、証紙台の取り外し作業の作業効率を向上することができる。
【図面の簡単な説明】
【００１２】
【図１】本発明の実施の形態例に係るパチンコ機の正面上方からの展開斜視図。
【図２】本発明の実施の形態例に係るパチンコ機の遊技盤面上に取り外し自在に固定される盤面部材の斜視図。
【図３】本発明の実施の形態例に係るパチンコ機の盤面部材に対して貼着部材を着脱する説明図。
【図４】本発明の実施の形態例に係るパチンコ機の盤面に盤面部材を取り付けた正面図。
【図５】本発明の実施の形態例に係る図４のＡ−Ａ面での断面図。
【図６】本発明の実施の形態例に係る盤面部材を遊技盤から取り外した状態を、図５と比較して説明する断面図。
【図７】本発明の実施の形態例に係る貼着部材を起立させた状態での斜視図。
【図８】本発明の実施の形態例に係る貼着部材の正面図。
【図９】本発明の実施の形態例に係る貼着部材の裏面からの斜視図。
【図１０】本発明の実施の形態例に係り、図４に示す状態から貼着部材を取り外した場合の状態を説明する説明図。
【図１１】本発明の実施の形態例に係り、図４に示す状態から貼着部材を取り外した場合の状態を説明する分解説明図。
【図１２】従来例におけるパチンコ機の遊技盤面に対するレール飾りと証紙台との取付状態の説明図。
【発明を実施するための形態】
【００１３】
以下、図面を参照して本発明の実施の形態を説明する。
【００１４】
図１には、本発明の実施の形態に係るパチンコ機Ｐが示されている。
このパチンコ機Ｐは外枠１０を備え、外枠１０の前面には、窓部を有する内枠１１の一側部が開閉可能に取付けられ、内枠１１の窓部には、ガラス１６を装着したガラス枠１２の一側部が開閉可能に取付けられている。
このガラス枠１２と内枠１１は、内枠１１の他側部に設けられた施錠装置１３により施錠されるようになっている。
【００１５】
また内枠１１の窓部には、遊技盤２０がこの窓部を塞ぐように交換可能に設置されている。遊技盤２０には、その盤面に、ガイドレール２１とレール飾り（盤面部材）２２とによって囲まれた略円形の遊技領域３０が形成されており、その遊技領域３０には、表示装置３１や大入賞口（変動入賞装置）３２等の役物、始動口３３や入賞口３４等の遊技部品が配設され、最下位置に遊技球を回収するアウト口３５が配置されている。
【００１６】
レール飾り（盤面部材）２２は、樹脂成型品として作製されており、図２に示すように、遊技盤２０上で遊技領域３０を画成するための内側面２２ａを有している。また、ねじ穴２２ｂが適宜の場所に設けられ、このねじ穴２２ｂにより遊技盤面に対し取り外し可能に固定される。
さらに、このレール飾り２２の前面右下端隅には、証紙５０を貼り付けた証紙台（貼着部材）５１を収納する凹状の空間部２２ｃが設けられ、この空間部２２ｃには、さらに、遊技盤２０を内枠１１に固定するための固定装置６０の固定レバー（操作レバー）６１が設けられている。
また、この空間部２２ｃに面して、証紙台５１を取り付けるための取付構造が設けられている。証紙台５１は、この取付構造によって、遊技盤２０の盤面に対して開閉動するように取り付けられ、遊技盤２０の盤面に対し平行となる状態で、前記した固定レバー６１などの固定構造を遊技者の正面視から隠すようになっている。
以下、レール飾り２２への証紙台５１の取付構造、および遊技盤２０と内枠１１との固定構造について、詳述する。
【００１７】
まず、証紙台５１とその取付構造について説明する。
証紙台５１は、図７〜図９に示すように、樹脂成形品で略矩形の平板状に形成されており、外形が証紙５０よりも少し大きくされている。
この証紙台５１の表面（前面）５１ａには証紙５０が貼り付けられており、この証紙５０には、当該パチンコ機の機械番号、製造業者、製造年、製造月等をそれぞれ記号や数字で表した製造情報が印刷されている。
【００１８】
また、図９に示すように、証紙台５１の裏面５１ｂには、周縁部に沿って周リブ５１ｄが形成されており、裏面５１ｂの略中央には、周リブ５１ｄから横方向に延出して、所定の間隔で配置された横リブ５１ｅが２個形成されている。
この横リブ５１ｅは、遊技盤２２を内枠１１に固定するための固定装置６０の固定レバー６１と対応する位置に設けられており、横リブ５１ｅの前記した所定の間隔は、この固定レバー６１の最大幅寸法よりも少し大きく設定されている。そしてこの２個の横リブ５１ｅによって形成された凹部（固定レバー嵌合凹部）５１ｆが、固定レバー６１に嵌め合わせられる嵌合部となっている。
さらに、この周リブ５１ｄを有する証紙台５１の厚さは、前記空間部２２ｃ内に証紙台５１が収納された場合に、前記固定レバー嵌合凹部５１ｆに固定レバー６１が嵌め合う状態で、証紙台５１の表面が飾りレール２２の表面と略同一面となる厚さとされている。
【００１９】
また、証紙台５１の正面視での左側端面には、所定の間隔で上下に対向配置された一対の係止片５１ｃが証紙台５１と一体的に形成されており、その係止片５１ｃの先端には、それぞれにヒンジ軸５１ｃ’が、その回転中心を証紙台５１の表面と平行するように設けられている。
【００２０】
一方、レール飾り２２の前記空間部２２ｃに面した側面には、図２に示すように、証紙台５１の一対の係止片５１ｃがそれぞれ挿入される係止片挿入スリット２２ｄが設けられ、さらに、この係止片挿入スリット２２ｄに連続して、レール飾り２２の前面側には、起立用スリット２２ｄ’が設けられている。
係止片挿入スリット２２ｄは、係止片５１のヒンジ軸５１ｃ’が挿入可能なスリット幅を有しているのに対し、起立用スリット２２ｄ’は、該ヒンジ軸５１ｃ’の軸長以下のスリット幅とされている。
したがって、係止片挿入スリット２２ｄ側より挿入された係止片５１ｃは、起立用スリット２２ｄ’側からは、ヒンジ軸５１ｃ’が該起立用スリット２２ｄ’内面に引っかかることで、引き抜けないように構成されている。
【００２１】
更に、レール飾り２２の起立用スリット２２ｄ’が設けられている内面側には、係止片挿入スリット２２ｄから挿入されたヒンジ軸５１ｃ’をレール飾り２２に係止するための係止片支持部２２ｅが設けられている。
この係止片支持部２２ｅは、図５および図６に示すように、挿入されたヒンジ軸５１ｃ’がすっぽり収納可能な凹部として形成されており、ヒンジ軸５１ｃ’がこの係止片支持部２２ｅである凹部に収納されると、該凹部はヒンジ軸５１ｃ’の軸受けとして機能することとなり、証紙台５１は、ヒンジ軸５１ｃ’の軸心を中心に回動することが可能とされている。
【００２２】
したがって、証紙台５１は、その係止片５１ｃが係止片挿入スリット２２からレール飾り２２内部に挿入されて、そのヒンジ軸５１ｃ’が係止片支持部２２ｅに収納されて係止されると、ヒンジ軸５１ｃ’の軸心を中心として回動可能となり、証紙台５１の表面を、遊技盤２０の盤面に対して起立した状態や平行した状態（閉じた状態）とすることができる。
そして、固定レバー６１が縦向きの位置のまま証紙台５１を閉じると、証紙台５１裏面の横リブ５１ｅが固定レバー６１に当接し、証紙台５１が完全に閉まらない状態となる。さらに、ガラス枠１２を閉めようとしても、ガラス１６が証紙台５１に当たるため、ガラス枠１２も閉まらなくなる。
【００２３】
さらに、係止片支持部２２ｅに収納（係止）されたヒンジ軸５１ｃ’の係止片支持部２２ｅからの着脱を規制する着脱規制部材２３が、係止片支持部２２ｅの凹部を塞ぐように設けられている。
この着脱規制部材２３は、図５および６に示すように、レール飾り２２の内部空間に取り付けられており、レール飾り２２の内壁にねじ止め固定される基端部２３ａと、係止片支持部２２ｅの凹部を塞ぐ厚肉状の押圧部２３ｂと、これら基端部２３ａと押圧部２３ｂとを接続する薄肉状の接続部２３ｃとから構成されている。これら基端部２３ａ、押圧部２３ｂおよび接続部２３ｃは、ＡＢＳ樹脂のような変形可能な合成樹脂によって一体的に成型されており、したがって接続部２３ｃにおいて変形可能とされている。
また、証紙台５１の係止片５１ｃが係止片支持部２２ｅの凹部に収納（係止）された状態でレール飾り２２が遊技盤２０の盤面上に固定されると、押圧部２３ｂは、遊技盤２０の盤面と係止片支持部２２ｅの凹部に収納（係止）された係止片５１ｃとにより挟まれる位置となり、しかもこの厚肉状の押圧部２３ｂの大きさは、遊技盤２０の盤面から押圧されることで係止片５１ｃを係止片支持部２２ｅの凹部へ押圧する大きさとされている。
【００２４】
このため、図５に示すように、レール飾り２２が遊技盤２０の盤面上に固定された状態では、係止片支持部２２ｅの凹部に収納されて係止されたヒンジ軸５１ｃ’は、押圧部２３ｂによって押圧されて該凹部内に押し込められたままとなるので、係止片支持部２２ｅと係止片５１ｃとの係合を解くことができず、係止片５１ｃを係止片挿入スリット２２ｄ側に引き抜こうとしても引き抜くことができない。
【００２５】
これに対し、図６に示すように、レール飾り２２が遊技盤２０の盤面上から取り外された状態では、着脱規制部材２３の押圧部２３ｂは遊技盤面からの押圧力から解放されており、着脱規制部材２３の接続部２３ｃは変形が可能な状態となっている。つまり、押圧部２３ｂによって係止片支持部２２ｅの凹部内に押し込められていたヒンジ軸５１ｃ’は、接続部２３ｃが変形することによって、図６の矢印Ｂ方向に係止片支持部２２ｅの凹部から解放することが可能となっている。
したがって、この状態から係止片５１ｃを、ヒンジ軸５１ｃ’が該凹部から外れるように操作すると、接続部２３ｃが変形して押圧部２３ｂと係止片支持部２２ｅの凹部との間に隙間ができることにより、係止片５１ｃを係止片挿入スリット２２ｄ側から引き抜くことができる。
【００２６】
次に、遊技盤２０と内枠１１との固定構造について説明する。
図２および図３に示すように、レール飾り２２の証紙台５１が収納される空間部２２ｃには、遊技盤２０を内枠１１に固定するための固定装置６０の固定レバー（操作レバー）６１が設けられている。該固定レバー６１は、樹脂製の回転軸６３の先端部に一体成形された、正面視を縦長略矩形とした板状の操作レバーであり、図中の矢印Ａ方向に回転可能とされている。また、該回転軸６３の後端部には、同様に一体成形された係合レバー６２が同軸に設けられており、この係合レバー６２も固定レバー６１と同様に、正面視を縦長略矩形とした板状に形成されている。この固定レバー６１と係合レバー６２は正面視での縦長の向きを同一とするように回転軸６３に取り付けられており、固定レバー６１を正面視で寝かせた状態へ回動させると、係合レバー６２も寝かせた状態となる。
【００２７】
一方、図５および図１１に示すように、遊技盤２０の右側端部には、固定装置６０にそれぞれ対応する位置に、端部を略円弧状に所定深さ切り欠いた逃げ部２０ａが形成されており、この逃げ部２０ａに内枠１１の一部が嵌合している。内枠１１のこの嵌合部には、縦長略矩形状の係合レバー挿入口１１ａが、正面視で該縦長略矩形の長辺を立てた状態で設けられており、該係合レバー挿入口１１ａの奥側には、リテーナ（固定板）７０が取り付けられている。
【００２８】
リテーナ７０は樹脂製とされ、その略中央には内枠１１の係合レバー挿入口１１ａと同様な縦長略矩形状とした開口を有する開口部７１が形成されており、該開口部７１を係合レバー挿入口１１ａに合わせるように、内枠１１にネジ止めされて固定されている。
該開口部７１は、係合レバー６２の正面視より一回り大きな形状であり、縦長略矩形の短辺の長さは、係合レバー６２の厚さよりも大きいが、その正面視での長さより小さくされ、その長辺の長さは係合レバー６２の正面視での長さより大きくされている。
また、リテーナ７０の開口部７１の周縁には、絞り加工によって、図１１に示す後方へと隆起された隆起部（図示せず）が形成されている。
【００２９】
次に、このように構成された本実施形態の作用を説明する。
先ず、証紙台５１をパチンコ機に取り付ける作業について説明する。
大まかな順序は、(1)レール飾り２２に証紙台５１を取り付け、(2)証紙台５１を取り付けたレール飾り２２を遊技盤２０上に固定し、(3)レール飾り２２等が取り付けられた遊技盤を内枠１１にはめ込み、(4)最後に固定装置６０によって遊技盤２０と内枠１１との固定を行う、というものである。
【００３０】
レール飾り２２に証紙台５１を取り付けるには、証紙台５１の係止片５１ｃを係止片挿入スリット２２ｄから挿入し、そのヒンジ軸５１ｃ’を係止片支持部２２ｅに陥入させる。その際、図６に示す状態となるように着脱規制部材２３の押圧部２３ｂを手で持ち上げて、押圧部２３ｂと係止片支持部２２ｅとの間に間隙を設け、ヒンジ軸５１ｃ’をこの間隙から挿入すると作業が簡便になる。
【００３１】
このように証紙台５１を取り付けたレール飾り２２を、ねじ穴２２ｂを用いて、遊技盤２０の所定位置に固定する。この作業に前後して、遊技盤２０の盤面上には、その他、必要な役物や入賞口、障害釘、案内レールなどが設けられる。
次に、このように必要な役物等が取り付けられた遊技盤２０を内枠１１に嵌め込むが、その際、固定装置６０の固定レバー６１を正面視で立て向きにした状態にして、遊技盤２０の右側端部に設けられている逃げ部２０ａに内枠１１の一部を嵌合するように嵌め込むと、固定レバー６１の後端の係合レバー６２がリテーナ７０の開口部７１に挿入されて、リテーナ７０の後方へ突出する。この状態から、図２に示すように、固定レバー６１を矢印Ａ方向に回転させると、係合レバー６２はリテーナ７０上で同様に回転する。リテーナ７０の開口部７１の周縁の隆起部は、縦長略矩形の長辺部の中央に向かうにしたがって次第に高くなるように形成されているので、係合レバー６２が矢印Ａ方向に回転すると、内枠１１と遊技盤２０とが緊密に固定されることとなる。
【００３２】
このように内枠１１に遊技盤がきちんと取り付けられると、図９に示すように、固定レバー６１が横向きとなるので、証紙カバ５１を、その表面が遊技盤２０の盤面と平行となるように回動させると、固定レバー６１は証紙台５１の裏面に形成されている固定レバー嵌合凹部５１ｆに陥入することとなる。
したがって、証紙台５１は、その表面がレール飾り２２の表面と略同一面となるので、ガラス枠１２を閉じたとしても、証紙台５１が邪魔することなく閉じることが可能となる。
ガラス枠１２を内枠１１へ閉じると、ガラス１６を通して、遊技盤２０右下隅に配置されている証紙５０を視認することができる。
【００３３】
次に、証紙台５１をパチンコ機Ｐから取り外す作業について説明する。
大まかな順序は、(1)固定装置６０により内枠１１から遊技盤２０を取り外し、(2)取り外した遊技盤２０からレール飾り２２を取り外し、(3)取り外したレール飾り２２から証紙台５１を取り外す、というものである。
【００３４】
先ず、遊技盤２０を内枠１１（パチンコ機本体）から取り外すには、図９に示すように証紙台５１を起立させて固定レバー６１を露出させ、横向きになっている固定レバー６１を回転させる。固定レバー６１を立て向きになるまで回転させると、係合レバー６２をリテーナ７０から抜き出すことができる状態になるので、遊技盤２０を内枠１１から取り外す。
【００３５】
次に、取り外した遊技盤２０からレール飾り２２のねじ穴２２ｂのねじを取り外し、レール飾り２２を遊技盤２０と別体とする。
このように、レール飾り２２を別体にすると、図６に示すように、着脱規制部材２３の押圧部２３ｂは遊技盤面からの押圧力から解放され、着脱規制部材２３の接続部２３ｃは変形が可能な状態となる。つまり、押圧部２３ｂによって係止片支持部２２ｅの凹部内に押し込められていたヒンジ軸５１ｃ’は、着脱規制部材２３の接続部２３ｃが変形することによって、該凹部から解放することが可能な状態となる。
したがって、この状態から係止片５１ｃを、ヒンジ軸５１ｃ’が係止片支持部２２ｅの凹部から外れるように操作すると、図６に示すように接続部２３ｃが変形し、係止片５１を係止片挿入スリット２２ｄ側から、図中の矢印Ｂ方向に引き抜くことができる。したがって、証紙台５１は、ワンタッチでレール飾り２２から取り外すことができる。
【００３６】
このように、レール飾り２２への証紙台５１の取り付け、取り外しをワンタッチで行うことが可能となる。したがって、証紙台５１のパチンコ機への取り付けおよび取り外しは、実質的には、レール飾り２２の取り付けおよび取り外しと同時に行われることとなるので、作業性が格段に向上する。
さらに、パチンコ機の製造時に証紙台５１に証紙５０を貼り間違えた場合は、その貼り付け不良となった証紙台５１が単体で廃棄されることになり、レール飾りはそのまま再利用することができる。そのため、従来よりも廃棄部材の容量は少なくなり、無駄が抑えられる。
【００３７】
また遊技盤２０には、開閉する証紙台５１によって被覆及び露出される領域が設けられ、この領域に、遊技盤３２を固定するための固定装置６０を配置しており、遊技盤２０上の限られた部品レイアウトスペースを有効に使用することができるとともに、固定装置６０を遊技者からの視線から遮ることができるので、美感を向上させることができる。
【００３８】
なお、上記実施の形態例においては、係止片支持部２２ｅの凹部を、図５および図６に示すように、挿入されたヒンジ軸５１ｃ’の全体がすっぽり収納可能な凹部として形成し、レール飾り２２が遊技盤２２へ取り付けされた状態において、押圧部２３ｂが係止片支持部２２ｅの凹部を塞ぐように構成することにより、ヒンジ軸５１ｃ’が該係止片支持部２２ｅから抜けないように構成されているが、係止片支持部２２ｅの凹部は必ずしもヒンジ軸５１ｃ’をすっぽり収納可能な凹部とする必要はなく、ヒンジ軸５１ｃ’の大部分を収納する大きさとして、押圧部２３ｂが直接、ヒンジ軸５１ｃ’を係止片支持部２２ｅの凹部側に押し込むように構成することも可能である。つまり、係止片５１ｃを係止片支持部２２ｅから引き抜こうとしても、該係止片５１ｃが押圧部２３ｂによって押圧されることにより、係止片支持部２２ｅからの該係止片の解放が禁止される構成となっていればよい。
【００３９】
また、図５、図６に示すように、押圧部２３ｂの後側に小突起２３ｂ’を形成し、該小突起２３ｂ’を遊技盤２０に当接させることで、押圧部２３ｂを確実に係止片支持部２３ｂ側へ押圧させるように構成することができる。この小突起２３ｂ’は、証紙台の取り付け作業時に、押圧部２３ｂを持ち上げるツマミとして利用することもできる。
【００４０】
また、上記実施の形態例では、レール飾り２２に固定装置６０が予め組み込まれているが、この固定装置６０を内枠１１側に組み込み、その固定レバー（操作レバー）６１をレール飾り２２の空間部２２ｃ方向へ突出するように構成することもできる。この場合、リテーナ７０を遊技盤２０の手前側の盤面（表側の盤面）に取り付けることで、遊技盤２０を内枠１１に固定するように構成することができる。
【００４１】
さらに、上記実施の形態例では、証紙台５１を取り付ける盤面部材として、外レールに接したレール飾り２２を用いたが、これに限ることなく、遊技盤面に配置する役物などの装飾部材を用いて、その装飾部材の一部に係止片支持部を形成するなどにより、同様に実施することができる。
【符号の説明】
【００４２】
Ｐ   パチンコ機
１１  内枠
１２  ガラス枠
２０ 遊技盤
２、２２  レール飾り（盤面部材／装飾部材）
２２ｄ  係止片挿入スリット
２２ｄ’起立用スリット
２２ｅ  係止片支持部
２３  着脱規制部材
２３ａ  基端部
２３ｂ  押圧部
２３ｃ  接続部
５０ 証紙
５１ 証紙台
５１ａ  表面
５１ｂ  裏面
５１ｃ  係止片
５１ｃ’ヒンジ軸
５１ｄ  周リブ
５１ｅ  横リブ
５１ｆ  固定レバー嵌合凹部
６０  固定装置
６１  固定レバー（操作レバー）
６２  係合レバー
６３  回転軸
７０  リテーナ
【図１】
0005756695.tif 000002
【図５】
0005756695.tif 000003
【図６】
0005756695.tif 000004
【図９】
0005756695.tif 000005
【図１１】
0005756695.tif 000006
【図１２】
0005756695.tif 000007
【図２】
0005756695.tif 000008
【図３】
0005756695.tif 000009
【図４】
0005756695.tif 000010
【図７】
0005756695.tif 000011
【図８】
0005756695.tif 000012
【図１０】
0005756695.tif 000013